(57)【特許請求の範囲】
【請求項１】
筐体内に、回路部品が実装された印刷配線基板と、ディスプレイユニットとを重ねて収容してなる移動通信端末であって、
前記印刷配線基板上の前記ディスプレイユニットと対向する部位に面状をなす接地パターンを形成し、
前記印刷配線基板の一つの面上における前記接地パターンを隔てた第１及び第２の部位にそれぞれ相互に電磁的又は熱的に分離が必要な第１及び第２の回路部品を分けて実装し、
かつ前記印刷配線基板と前記ディスプレイユニットとの間に、前記第１及び第２の回路部品の少なくとも一方をシールドする機能と前記ディスプレイユニットを保持する機能とを併せ持ったシールドケースを、前記接地パターンに電気的に接触させた状態で設置したことを特徴とする移動通信端末。
【請求項２】
前記接地パターンは、形状及び大きさが前記ディスプレイユニットの形状に対応しかつそれより大きくなるように設定されることを特徴とする請求項１記載の移動通信端末。
【発明の詳細な説明】
【０００１】
【発明の属する技術分野】
この発明は、携帯電話機やＰＤＡ（Personal Digital Assistants）等の移動通信端末に関する。
【０００２】
【従来の技術】
携帯電話機に代表される移動通信端末は、小型化軽量化が重要課題の一つとなっている。特に、第１の筐体と第２の筐体とをヒンジ機構を用いて開閉可能に接続したいわゆる折り畳み形の移動通信端末は、折り畳んだときの端末の厚さ方向の寸法が大きくなるため、第１及び第２の筐体の薄型化が求められている。
【０００３】
一方、最近の移動通信端末では、筐体の前面に設置されるメインディスプレイの他に筐体の背面にもサブディスプレイが設置されるようになっている。メインディスプレイに加えてサブディスプレイを設置すると、ユーザは移動通信端末の向きに関係なく表示情報を確認することができる。特に、折り畳み形の移動通信端末では、時刻や端末の動作状態等を確認するためにその都度筐体を開く必要がなくなり、ユーザの利便性が向上する。
【０００４】
【発明が解決しようとする課題】
ところが、一般にメインディスプレイとサブディスプレイとは同一の筐体に背中合わせに設けられる。このため、筐体の厚さがさらに増加して、携帯性が損なわれると共に、デザイン的自由度の低下を招く。
【０００５】
一方、筐体の薄型化のために、集積回路等の回路部品を印刷配線基板上の特定の位置に集中して実装することも考えられている。しかし、回路部品を特定の位置に集中実装すると、回路部品の実装密度が高くなって回路部品相互間で電磁的或いは熱的な干渉等が発生しやすくなり、その結果通信品質の劣化を招く。
【０００６】
この発明は上記事情に着目してなされたもので、その目的とするところは、筐体の薄型化を図りつつ、回路部品相互間の干渉を低減して通信品質を良好に保持することが可能な移動通信端末を提供することにある。
【０００７】
【課題を解決するための手段】
上記目的を達成するためにこの発明は、筐体内に、回路部品が実装された印刷配線基板と、ディスプレイユニットとを重ねて収容してなる移動通信端末にあって、上記印刷配線基板上の上記ディスプレイユニットと対向する部位に面状をなす接地パターンを形成し、上記印刷配線基板の一つの面上における上記接地パターンを隔てた第１及び第２の部位にそれぞれ相互に電磁的又は熱的にアイソレーションが必要な第１及び第２の回路部品を分けて実装し、かつ上記印刷配線基板と上記ディスプレイユニットとの間に、上記第１及び第２の回路部品の少なくとも一方をシールドする機能と上記ディスプレイユニットを保持する機能とを併せ持ったシールドケースを、上記接地パターンに電気的に接触させた状態で設置するように構成したものである。
【０００８】
したがってこの発明によれば、印刷配線基板上のディスプレイユニットと対向する部位には接地パターンが形成され、回路部品はその周辺部に分散して実装される。このため、印刷配線基板の全面に回路部品を実装する場合に比べ、印刷配線基板とディスプレイユニットとの間隔を接近させることができ、その分筐体の厚さを薄くして携帯性及びデザイン的自由度を確保することが可能となる。
【０００９】
また、相互にアイソレーションが必要な第１及び第２の回路部品は、上記接地パターンを隔てて実装される。このため、第１及び第２の回路部品間は、距離的に離間されるだけでなく、接地パターンによるシールド効果により、良好なアイソレーション性能を得ることが可能となる。
【００１０】
例えば、相互に電磁的なアイソレーションが必要な回路部品を第１及び第２の回路部品として実装すると、印刷配線基板の反対側の面や多層印刷配線基板の内層に設けられている信号配線パターンにおいて発生された雑音が接地パターンにより吸収される。すなわち、接地パターンが電磁的なシールド効果を発揮することになり、電磁的なアイソレーション性能を高く保持することができる。また、相互に熱的なアイソレーションが必要な回路部品を第１及び第２の回路部品として実装した場合には、接地パターンが放熱部材及び熱伝導材として機能するため、回路部品の発熱が局部的に集中し難くなり、これにより第１及び第２の回路部品の熱特性を向上することができる。
【００１１】
またこの発明は、印刷配線基板とディスプレイユニットとの間に、第１及び第２の回路部品の少なくとも一方をシールドする機能とディスプレイを保持する機能とを有したシールドケースを設置することも特徴とする。
このように構成すると、第１及び第２の回路部品がシールドケースのシールド効果によりさらに効果的に電磁的に分離されることになり、この結果回路部品間のアイソレーション特性をより一層改善することができる。しかも、シールドケースはディスプレイユニットのホルダとしても機能するため、専用のホルダを設ける場合に比べて筐体の厚さ方向の寸法を小さく抑えることができる。
【００１４】
【発明の実施の形態】
（第１の実施形態）
図１は、この発明に係わる移動通信端末の第１の実施形態である折り畳み形携帯電話機の開いたときの外観を示すもので、（ａ）はその正面図、（ｂ）は側面図、（ｃ）は背面図である。
【００１５】
この折り畳み形携帯電話機は、下側筐体１と上側筐体２とをヒンジ機構３を介して回動可能に接続したものである。下側筐体１の前面部にはキー入力部１１及び送話用のスピーカ１２が配設され、また背面部にはバッテリの収納部が設けられる。一方、上側筐体２の前面部にはＬＣＤ（Liquid Crystal Devise）からなるメインディスプレイ２１及び受話用スピーカ２２が配設され、また背面部には同じくＬＣＤからなるサブディスプレイ２４が設けられる。なお、２３はアンテナであり、背面カバー２ｂに設けられたアンテナ収容部２５内に進退自在に収容される。
【００１６】
ところで、上側筐体２は次のように構成される。図２はその構成を示す分解斜視図、図５は横断面図である。すなわち、前面カバー２ａと背面カバー２ｂとからなる筐体内にはディスプレイユニット４が収容される。このディスプレイユニット４は、メインディスプレイ２１とサブディスプレイ２４とにより印刷配線基板４１を挟んだ状態で一体化したものである。
【００１７】
このうち先ずメインディスプレイ２１は、図５に示すようにメインＬＣＤユニット２１０をＬＣＤホルダ２１１で保持し、さらにこのメインＬＣＤユニット２１０を保持したメインＬＣＤホルダ２１１をシールドケース２１４に固定したもので、このシールドケース２１４が印刷配線基板４１の一方の面に取着される。なお、２１２は前面カバー２ａに設けられたメインディスプレイ２１用の透過窓、２１３は上記印刷配線基板４１の一方の面に実装された回路部品である。
【００１８】
一方、サブディスプレイ２４は次のように構成される。図３はその構造を示す分解斜視図である。すなわち、サブディスプレイ２４は、サブＬＣＤユニット４３と、シールドケース４２とから構成される。サブＬＣＤユニット４３は、図４に示すようにサブＬＣＤ４３１にフレキシブルケーブル４３２を接続し、かつサブＬＣＤ４３１の裏面にライトガイド４３３を取り付けたものである。なお、サブＬＣＤ４３１へのライトガイド４３３の取り付けは例えば両面テープを用いて行われる。
【００１９】
シールドケース４２は、印刷配線基板４１の他方の面に実装される回路部品４１２，４１３をシールドする機能と、上記サブＬＣＤユニット４３を保持する機能とを併せ持つもので、中央部をくり抜いた枠型部材からなる。上記サブＬＣＤユニット４３は、シールドケース４２のこのくり抜かれた中央部４２１に固定される。このサブＬＣＤユニット４３の固定は、図６に示すようにシールドケース４２の中央部４２１の内縁に設けられた複数の溝４２２に、サブＬＣＤユニット４３の外縁に設けられた複数の突起４３４を嵌合することによりなされる。
【００２０】
ところで、上記印刷配線基板４１のサブディスプレイ２４が取着される面上の中央部分には、図３に示すようにべた状の接地パターン４１１が形成してある。この接地パターン４１１は、上記サブＬＣＤユニット４３と対向する位置に設けられ、その形状と大きさはサブＬＣＤユニット４３の形状に対応しかつそれより若干大きくなるように設定されている。なお、接地パターンは格子状或いはストライプ状であってもよく、要するに面状の接地パターンであれば如何なるものであってもよい。
【００２１】
また、上記印刷配線基板４１上の上記接地パターン４１１の周辺部には、例えば図７に示すように複数の回路部品が実装される。これらの回路部品の配置は、相互に電磁的及び熱的な分離が必要な第１及び第２の回路部品４１２，４１３が、上記接地パターン４１１を隔てて離間するように設定される。例えば、高周波電力増幅器を含む回路部品は第１の回路部品４１２として一方の辺部に配置され、これに対し受信中間周波増幅器等を含む高周波受信回路を構成する回路部品は第２の回路部品４１３として他方の辺部にそれぞれ配置される。
【００２２】
さらに、上記印刷配線基板４１上に実装された複数の回路部品はグループごとにシールドケース４２の仕切壁により分離される。図７はその構成を示すもので、図中二点鎖線がシールドケース４２の仕切壁の位置を示している。
【００２３】
このような構成であるから、印刷配線基板４１上のサブＬＣＤユニット４３と対向する位置には接地パターン４１１のみが形成され、回路部品はその周辺部に分散して実装される。このため、印刷配線基板４１の全面に回路部品を実装する場合に比べ、印刷配線基板４１とサブディスプレイ４２との配置間隔を接近させることができる。さらに、シールドケース４２の中央部４２１をくり抜いてここにサブＬＣＤユニット４３を嵌合することにより、サブＬＣＤユニット４３を保持するようにしている。このため、サブＬＣＤユニット４３の保持部材とシールドケースとを別個に設ける場合に比べ、厚さ方向の寸法を抑えることができる。したがって、これらの相乗効果により本実施形態によれば上側筐体２の厚さを薄くして携帯性及びデザイン的自由度を十分確保することが可能となる。
【００２４】
また、印刷配線基板４１の周辺部に実装される回路部品のうち、高周波電力増幅器と受信中間周波増幅器との関係のように相互に電磁的及び熱的にアイソレートが必要な第１及び第２の回路部品４１２，４１３を、接地パターン４１１を隔てて離間する位置に実装している。さらに、これら第１及び第２の回路部品４１２，４１３を、シールドケース４２の仕切壁により電磁的に分離するようにしている。このため、第１及び第２の回路部品４１２，４１３間は、距離的に離間されると共に、接地パターン４１１とシールドケース４２の仕切壁によるシールド効果により、良好なアイソレーション性能を保持することができる。
【００２５】
例えば、高周波電力増幅器等の回路部品において発生された雑音は、距離的に離間していることと、シールドケース４２の仕切壁により遮断されることにより、受信回路系の回路部品へは伝わり難くなる。
【００２６】
また多層印刷配線基板の内層には図８に示すように信号配線パターン４１４，４１６が設けられており、これらの信号配線パターン４１４，４１６からは雑音が発生する。しかし、この信号配線パターンから発生された雑音は、面積の大きい接地パターン４１１により効果的に吸収される。このため、周辺の回路部品４１２，４１３への上記雑音の影響は低減される。
【００２７】
一方、高周波電力増幅器の発熱の大部分は、その近傍に設けられている面積の大きな接地パターン４１１に伝わり、この接地パターン４１１から放熱される。このため、高周波電力増幅器の発熱がその周辺部分に蓄積されて局所的に高熱になる不具合は回避され、これにより高周波電力増幅器自身は勿論のこと、その周辺の他の回路部品への悪影響は低減される。
【００２８】
また、ユーザに与える発熱による不快感も軽減される。すなわち、上側筐体２には図１（ａ）及び図２に示したように受話用のスピーカ２２が配設されており、ユーザはこのスピーカ２２に耳を接触或いは接近させた状態で通話を行う。このため、高周波電力増幅器等の回路部品４１２から発生された熱が通話中にユーザの耳に伝わり、ユーザに不快感を与える。しかし、本実施形態では発熱回路部品４１２の発熱が面状の接地パターン４１１に伝わり、この接地パターン４１１から放熱される。このため、スピーカ２２付近の温度上昇を抑えることができ、これによりユーザの不快感を軽減できる。
【００２９】
さらに、この実施形態では先に述べたように、シールドケース４２の中央部４２１の内縁に設けられた複数の溝４２２に、サブＬＣＤユニット４３の外縁に設けられた複数の突起４３４を嵌合することにより、サブＬＣＤユニット４３をシールドケース４２に固定している。このため、サブＬＣＤユニット４３の固定を簡単かつ高精度にしかも安定に行えるようになり、これにより端末の信頼性を高く保持することができ、さらに組み立て作業性を改善できる。
【００３０】
（第２の実施形態）
この発明の第２の実施形態は、印刷配線基板のサブＬＣＤユニットと対向する位置に凹部を設けてこの凹部の底面に面状の接地パターンを形成し、印刷配線基板上の上記凹部を隔てた位置に電磁的及び熱的なアイソレートが必要な回路部品を離間させて実装するように構成したものである。
【００３１】
図９は、この発明に係わる移動通信端末の第２の実施形態である折り畳み形携帯電話機の上側筐体の構成を示す横断面図である。なお、同図において前記図５と同一部分には同一符号を付して詳しい説明は省略する。
【００３２】
印刷配線基板４１′のサブディスプレイ２４が取着される面上の中央部分には、凹部４１７が設けてある。この凹部４１７は、上記サブＬＣＤユニット４３と対向する位置に設けられ、その形状と大きさはサブＬＣＤユニット４３の形状に対応しかつそれより若干大きくなるように設定されている。そして、この凹部４１７の底面には、べた状の接地パターン４１１が形成してある。なお、接地パターンは格子状或いはストライプ状であってもよく、要するに面状の接地パターンであれば如何なるものであってもよい。
【００３３】
また、上記印刷配線基板４１′上の上記凹部４１７の周辺部には、複数の回路部品が実装される。これらの回路部品の配置は、図７に例示したように相互に電磁的及び熱的な分離が必要な第１及び第２の回路部品４１２，４１３が、上記凹部４１７底面に形成された接地パターン４１１を隔てて離間するように設定される。
【００３４】
上記印刷配線基板４１′には、サブＬＣＤユニット４３を固定したシールドケース４２′が取着される。このとき、シールドケース４２′の中央部底面は、上記凹部４１７内の接地パターン４１１に接触するように位置決めされる。
【００３５】
このような構成であるから、シールドケース４２′を印刷配線基板４１′に取着した状態において、シールドケース４２′の高さは印刷配線基板４１′に設けられた凹部４１７の深さに相当する分だけ低くなる。このため、上側筐体２の背面カバー２ｂ′の厚さはさらに薄くなり、結果的に上側筐体２のより一層の薄型化を図ることができる。
【００３６】
また、この第２の実施形態においても、印刷配線基板４１′の周辺部に実装される回路部品のうち、送信用高周波電力増幅器と受信中間周波増幅器との関係のように相互に電磁的及び熱的にアイソレートが必要な回路部品４１２，４１３を、接地パターン４１１を隔てて離間する位置に実装している。しかも、これらの回路部品４１２，４１３を、シールドケース４２′の仕切壁により電磁的に分離するようにしている。このため、回路部品４１２，４１３間は、距離的に離間されると共に、接地パターン４１１及びシールドケース４２′の仕切壁によるシールド効果により、良好なアイソレーション性能を保持することができる。
【００３７】
（その他の実施形態）
前記各実施形態では、サブＬＣＤユニットの位置に対応して接地パターン４１１を印刷配線基板４１，４１′の中央部に形成し、その周辺部に相互にアイソレートが必要な回路部品４１２，４１３を実装するようにした。
【００３８】
しかし、移動通信端末の中には、サブディスプレイが上側筐体の長手方向に対し直交する向きに、つまり横向きに設置されるものもある。この場合には、上記サブディスプレイの向きに対応して、例えば図１１に示すように印刷配線基板４１において接地パターン４１１′を横向きに形成し、かつ相互にアイソレートを必要とする複数の回路部品４１２′，４１３′を上記接地パターン４１１′を隔てて実装する。このように構成においても、筐体の薄型化と、回路部品４１２′，４１３′相互間のアイソレーション性能の保持を図ることができる。
【００３９】
また、前記実施形態では折り畳み形携帯電話機を例にとって説明したが、第１及び第２の筐体をスライド機構によりスライドさせて開閉するタイプの移動通信端末にもこの発明は適用でき、さらには１個の筐体からなるストレートタイプの移動通信端末にもこの発明は適用可能である。
【００４０】
その他、移動通信端末の種類やその構造、サブディスプレイの設置位置とそれに応じた接地パターンの形成位置、接地パターンの形状と大きさ、相互にアイソレートが必要な複数の回路部品の種類とその配設位置、シールドケースの構造などについても、この発明の要旨を逸脱しない範囲で種々変形して実施できる。
【００４１】
【発明の効果】
以上詳述したようにこの発明では、筐体内に、回路部品が実装された印刷配線基板と、ディスプレイユニットとを重ねて収容してなる移動通信端末にあって、上記印刷配線基板上の上記ディスプレイユニットと対向する部位に面状の接地パターンを形成し、上記印刷配線基板の一つの面上における上記接地パターンを隔てた第１及び第２の部位にそれぞれ相互に電磁的又は熱的にアイソレーションが必要な第１及び第２の回路部品を分けて実装し、かつ上記印刷配線基板と上記ディスプレイユニットとの間に、上記第１及び第２の回路部品の少なくとも一方をシールドする機能と上記ディスプレイユニットを保持する機能とを併せ持ったシールドケースを、上記接地パターンに電気的に接触させた状態で設置するように構成している。
【００４２】
したがってこの発明によれば、筐体の薄型化を図りつつ、回路部品相互間の干渉を低減して通信品質を良好に保持することが可能な移動通信端末を提供することができる。
【図面の簡単な説明】
【図１】  この発明に係わる移動通信端末の第１の実施形態である折り畳み形携帯電話機の外観を示すもので、（ａ）はその正面図、（ｂ）は側面図、（ｃ）は背面図。
【図２】  図１に示した折り畳み形携帯電話機の上側筐体の構成を示す分解斜視図。
【図３】  図２に示した上側筐体に設けられるサブディスプレイの構成を示す分解斜視図。
【図４】  図３に示したサブディスプレイのサブＬＣＤユニットの構成を示す分解斜視図。
【図５】  図１に示した折り畳み形携帯電話機の上側筐体部分の横断面図。
【図６】  図５に示した上側筐体部分の要部を拡大して示した図。
【図７】  図２に示した上側筐体に設けられる印刷配線基板の構成を示す平面図。
【図８】  図２に示した上側筐体に設けられる印刷配線基板の構成を示す部分断面図。
【図９】  この発明に係わる移動通信端末の第２の実施形態である折り畳み形携帯電話機の上側筐体の構成を示す横断面図。
【図１０】  図９に示した印刷配線基板の構成を示す平面図。
【図１１】  この発明のその他の実施形態における印刷配線基板の構成を示す平面図。
【符号の説明】
１…下側筐体
２…上側筐体
２ａ…前面カバー
２ｂ…背面カバー
３…ヒンジ機構
４…ディスプレイユニット
１１…キー入力部
１２…送話用マイクロホン
２１…メインディスプレイ
２２…受話用スピーカ
２３…アンテナ
２４…サブディスプレイ
２５…アンテナ収容部
４１，４１′…印刷配線基板
４２，４２′…シールドケース
４３…サブＬＣＤユニット
２１０…メインＬＣＤ
２１１…ＬＣＤホルダ
２１２，２１３…透過窓
２１４…シールドケース
４１１，４１１′，４１５…接地パターン
２１３，４１２，４１２′，４１３，４１３′…回路部品
４１４，４１６…信号配線パターン
４１７…凹部
４２１…くり抜かれた中央部
４２２…溝
４３１…サブＬＣＤ
４３２…フレキシブルケーブル
４３３…ライトガイド
４３４…突起
【図１】
0004077230.tif 000002
【図２】
0004077230.tif 000003
【図３】
0004077230.tif 000004
【図４】
0004077230.tif 000005
【図５】
0004077230.tif 000006
【図６】
0004077230.tif 000007
【図７】
0004077230.tif 000008
【図８】
0004077230.tif 000009
【図９】
0004077230.tif 000010
【図１０】
0004077230.tif 000011
【図１１】
0004077230.tif 000012